(57)【要約】【課題】熱交換器のフィンを廃止してゴミの付着を抑えるようにした洗濯乾燥機を提供する。【解決手段】被洗浄物が収容される回転槽と、この回転槽と連通し前記被洗浄物を乾燥させる空気が流れる空気循環路と、この空気循環路の途中に設けたヒートポンプ装置と、前記空気循環路の下流側に設けた送風機と、前記空気循環路の上流側に設けたフィルタとを備え、前記空気が前記ドラムと前記空気循環経路とを循環することにより前記被洗浄物を乾燥するようにした洗濯乾燥機において、前記ヒートポンプ装置の冷媒管６ａは前記空気循環路５の要部の外周に巻き付けることにより、ヒートポンプ装置の熱交換器８（９）を形成する。この熱交換器８（９）は、空気循環路５の内部に複数の板材からなる圧損部材１１を設ける。【選択図】図２
2008086423.tif 000002
【特許請求の範囲】
【請求項１】
被洗浄物が収容される回転槽と、この回転槽と連通し前記被洗浄物を乾燥させる空気が流れる空気循環路と、この空気循環路の途中に設けたヒートポンプ装置と、前記空気循環路の下流側に設けた送風機と、前記空気循環路の上流側に設けたフィルタとを備え、前記空気が前記ドラムと前記空気循環経路とを循環することにより前記被洗浄物を乾燥するようにした洗濯乾燥機において、前記ヒートポンプ装置の冷媒管は前記空気循環路の要部の外周に巻き付けることにより、ヒートポンプ装置の熱交換器を形成したことを特徴とする洗濯乾燥機。
【請求項２】
前記熱交換器は、空気循環路の内部に圧損部材を設けたことを特徴とする請求項１に記載の洗濯乾燥機。
【請求項３】
前記圧損部材は、空気循環路の内部に取り付けた複数の板材であることを特徴とする請求項２に記載の洗濯乾燥機。
【発明の詳細な説明】
【技術分野】
【０００１】
本発明は、衣類等の被洗浄物を洗濯すると共に、脱水後に乾燥できるようにした洗濯乾燥機に関するものである。
【背景技術】
【０００２】
衣類等の被洗浄物を洗濯する洗濯工程（濯ぎ工程を含む）と、洗濯後に行う脱水工程と、脱水後に行う乾燥工程とを単一の機器内で順次行うようにした洗濯乾燥機が従来知られている（例えば、特許文献１）。この洗濯乾燥機の場合、乾燥工程を行うシステムを概略説明すると、図４に示すように衣類等の被洗浄物Ａが収容されるドラムＢと、このドラムＢと連通し前記被洗浄物Ａを乾燥させる乾燥用空気が流れる空気循環路Ｃと、この空気循環路Ｃの途中に設けたヒートポンプ装置Ｄと、空気循環路Ｃの下流側に設けた送風機Ｅと、空気循環路の上流側に設けたフィルタＦとを備え、空気循環路Ｃを介して空気が循環することにより洗濯・脱水後の被洗浄物Ａを乾燥するように構成されている。
【０００３】
上記ヒートポンプ装置Ｄは、圧縮機Ｇと２つの熱交換器（放熱器Ｈ及び吸熱器Ｉ）と、この２つの熱交換器の間に位置する絞り手段Ｊとが接続管により連結されて冷凍サイクルが形成され、この冷凍サイクル内を冷媒が循環するように構成されている。そして、圧縮機Ｇにより圧縮された冷媒ガスは高温高圧となって吐出され、放熱器Ｈでこの放熱器Ｈを通過する空気との間で熱交換することにより空気を加熱して冷媒自身は冷却され、絞り手段Ｊにより圧力が低下されることにより液化し、吸熱器Ｉでこの吸熱器Ｉを通過する空気との間で熱交換することにより空気を冷却して除湿し、冷媒自身は蒸発し冷媒ガスとなって圧縮機Ｇに戻る。
【０００４】
被洗浄物Ａの乾燥工程においては、前記送風機ＥによりドラムＢ内の空気が空気循環路Ｃ内に吸い込まれ、この空気は前記のように吸熱器Ｉを通過する際に熱が奪われて冷却され、空気中に含まれている水分が凝縮することにより除湿され、更に放熱器Ｈを通過する際に加熱され、高温の乾燥空気となってドラムＢ内に戻され被洗浄物Ａを加熱する。このようにして、空気循環路Ｃを介して空気の循環が繰り返されることにより、ドラムＢ内で被洗浄物Ａの乾燥工程が行われる。
【０００５】
前記フィルタＦは、前記のようにドラムＢから空気循環路Ｃに吸い込まれる空気を通過させ、その際空気中に混入している糸屑等のゴミを分離する。このため、糸屑等のゴミが前記２つの熱交換器（放熱器Ｈ及び吸熱器Ｉ）のフィン等に付着するのを防ぐことができ、これにより熱交換器としての機能低下を抑えるようにしている。
【特許文献１】特開２００６−１１０３９４
【発明の開示】
【発明が解決しようとする課題】
【０００６】
上記従来の洗濯乾燥機においては、空気循環路Ｃの上流側にフィルタＦを設けて糸屑等のゴミを分離するようにしているが、微細なゴミが空気と共にフィルタＦを通過して空気循環路Ｃに進入することがある。このようにして微細なゴミが空気循環路Ｃに進入すると、前記熱交換器Ｈ、Ｉのフィン等に付着し、その付着量を徐々に増大して熱効率を低下させることになる。
【０００７】
前記熱交換器Ｈ、Ｉは空気循環路Ｃ内に配設されているため、フィン等に付着したゴミを除去する作業は容易でなく、現実にはその除去作業は殆ど不可能である。
【０００８】
本発明は、熱交換器のフィンを廃止してゴミの付着を抑えるようにした洗濯乾燥機を提供することを目的とする。
【課題を解決するための手段】
【０００９】
上記の目的を達成するための手段として、本発明の請求項１は、被洗浄物が収容される回転槽と、この回転槽と連通し前記被洗浄物を乾燥させる空気が流れる空気循環路と、この空気循環路の途中に設けたヒートポンプ装置と、前記空気循環路の下流側に設けた送風機と、前記空気循環路の上流側に設けたフィルタとを備え、前記空気が前記ドラムと前記空気循環経路とを循環することにより前記被洗浄物を乾燥するようにした洗濯乾燥機において、前記ヒートポンプ装置の冷媒管は前記空気循環路の要部の外周に巻き付けることにより、ヒートポンプ装置の熱交換器を形成したことを特徴とする。
【００１０】
本発明の請求項２は、請求項１の洗濯乾燥機において、前記熱交換器は、空気循環路の内部に圧損部材を設けたことを特徴とする。
【００１１】
本発明の請求項３は、請求項２の洗濯乾燥機において、前記圧損部材は、空気循環路の内部に設けた複数の板材であることを特徴とする。
【発明の効果】
【００１２】
上記請求項１の発明によれば、前記ヒートポンプ装置の冷媒管を空気循環路の要部の外周に巻き付けて配管することにより熱交換器を形成したので、通常の熱交換器に用いるフィンを廃止することができる。これにより、熱交換器に対するゴミの付着を抑えることができる。
【００１３】
請求項２の発明によれば、前記冷媒管を巻き付けて形成した熱交換器は、空気循環路の内部に圧損部材を設けたので、通過する空気の流速を低下させることができる。これにより、熱交換器の熱効率を向上させ、従来のフィン／チューブ型熱交換器とほぼ同等の機能を備えることができる。
【００１４】
請求項３の発明によれば、前記圧損部材は、空気循環路の内部に設けた複数の板材であるため、容易に且つ安価に製造することができる。
【発明を実施するための最良の形態】
【００１５】
次に、本発明に係る洗濯乾燥機の実施形態を添付図面に基づいて説明する。
図１は、本発明に係る洗濯乾燥機の実施形態を示す概略説明図である。本図において、１は外槽であり、この外槽１の内部に円筒状の水槽２が後部を斜め下に向けた傾斜状態に固定されている。水槽２は前部の端面が開口し、後部の端面には底板２ａが取り付けられ、この底板２ａの下面側中央部に駆動用モータ３が取り付けられている。そして、駆動用モータ３の回転軸３ａは水槽２の内部に突出し、この突出端部は円筒状の回転槽４の底部に軸着されており、駆動用モータ３によって回転槽４を水槽２内で中心軸を合致した状態で回転できるようにしてある。
【００１６】
回転槽４は前部の端面が開口し、後部の端面には底板４ａが取り付けられ、周側板４ｂには多数の小孔（図略）が設けられている。この回転槽４内には図示を省略した衣類等の被洗浄物が投入され、後記する洗濯工程、濯ぎ工程、脱水工程、乾燥工程が一連に行われる。
【００１７】
前記外槽１の内部には乾燥工程時に使用する空気循環路５が設けられ、この空気循環路５の上流側端部は前記回転槽４の開口端（及び水槽２の開口端）に連通して接続され、下流側端部は水槽２の底部内に連通して接続されている。これにより、回転槽４の内部から空気循環路５を経由して水槽２の内部に戻る空気の環状回路が形成されている。
【００１８】
空気循環路５の途中にはヒートポンプ装置６が設けられ、このヒートポンプ装置６は圧縮機７と、放熱器８と、吸熱器９と、絞り手段１０とから構成されている。そして、これら各部材を管接続することにより冷凍回路が形成され、この冷凍回路を冷媒が循環するようにしてある。
【００１９】
前記放熱器８及び吸熱器９は、通常図４に示されているようにフィンとチューブとを組み合わせた構造のものであるが、本発明の場合は、図２及び図３（ａ）に示すように前記空気循環路５の外周に沿ってヒートポンプ装置６の冷媒管６ａを巻き付けることにより形成したものであって、従来のフィンは全く存在していない。空気循環路５は熱伝導性の良好な材料で形成する。
【００２０】
このような構造の熱交換器（放熱器８及び吸熱器９）は、前記空気循環路５内に圧損部材１１が設けられており、この圧損部材１１としては、例えば図２及び図３（ａ）に示すように空気循環路５の内部に所定の間隔をあけて交互に取り付けた複数の板材を用いる。これにより、熱交換器に含まれる空気循環路５の内部にジクザグ状の蛇行路が形成され、この蛇行路を通過する空気は圧損によって流速が低下する。
【００２１】
熱交換器の空気循環路５内に設ける圧損部材１１は上記のものに限定されず、例えば図３（ｂ）のように多数の通孔を形成したパンチング板１１Ａ、又は図３（ｃ）のように複数のスリット孔を形成したスリット板１１Ｂ等を用いることができる。このパンチング板１１Ａ又はスリット板１１Ｂの場合には、前記の板材と同様に空気循環路５内に交互に取り付けてジクザグ状の蛇行路を形成するほかに、図示は省略したが所定の間隔をあけて仕切板として取り付け、通孔又はスリット孔を空気が通過するように構成しても良い。前記圧損部材１１、パンチング板１１Ａ、スリット板１１Ｂはいずれも熱伝導性の良好な材料で形成することが好ましい。
【００２２】
前記絞り手段１０としては例えばキャピラリーチューブや絞り弁等を用いることができ、放熱器８と吸熱器９との間に位置させて前記冷媒管６ａに接続して設けられる。
【００２３】
前記空気循環路５の上流側にはフィルタ１２が設けられ、乾燥工程時に回転槽４からの空気を通過させると共に、この空気内に混入している糸屑等のゴミを捉えて分離する作用をなす。このフィルタ１２としては、例えば合成樹脂等で成形された細かい網目状のもの、又は繊維質を絡めて形成したもの等を使用することができる。
【００２４】
又、空気循環路５の下流側には送風機１３が設けられ、この送風機１３はモータ（図略）によって正逆回転可能に形成されており、正回転時には空気が空気循環路５の上流側から下流側に向かって流れ、逆回転時には下流側から上流側に向かって流れるようにしてある。
【００２５】
図１において、１４は給水管であって、その一端は水道の蛇口等の水源（図略）に接続されると共に他端は前記水槽２に接続され、洗濯工程及び濯ぎ工程時に水槽２内に所要量の水を供給する。１５は排水管であって、その一端は水槽２の底部に接続されると共に他端はフロアの排水口（図略）に接続されており、洗濯工程及び濯ぎ工程後に回転槽４内の汚水を水槽２から排水管１５により外部に排水する。
【００２６】
このように構成された洗濯乾燥機において、先ず開閉蓋（図略）を開けて回転槽４内に図示を省略した被洗浄物を投入し、前記給水管１４から水槽２内に必要量の水を給水すると、その給水の大部分は回転槽４の周側板４ｂの小孔から回転槽４内に浸入する。そして、回転槽４内に必要量の洗剤を投入した後、スイッチ（図略）をオンにすれば洗濯工程が開始する。この洗濯工程は、前記駆動用モータ３が作動して回転槽４を軸回転
させることにより行われる。
【００２７】
洗濯工程終了後、前記排水管１５の電磁弁（図略）を開くと、回転槽４内の洗濯汚水が水槽２を介して排水される。この後、排水管１５の電磁弁を閉じて給水管１４から水槽２内に必要量の水を給水し、前記駆動用モータ３を再度作動して回転槽４を軸回転させることにより濯ぎ工程を行う。この濯ぎ工程は、通常複数回繰り返して行われる。
【００２８】
濯ぎ工程終了後、排水管１５の電磁弁を再度開いて回転槽４内の汚水を排水し、前記駆動用モータ３により回転槽４を軸回転させることにより脱水工程を行う。この脱水工程では、回転槽４を洗濯時よりも高速回転させ、遠心力によって被洗浄物から水分を飛散させる。被洗浄物から飛散した水分は、水槽２を介して排水管１５から排水される。
【００２９】
脱水工程終了後、前記ヒートポンプ装置６を作動させると共に、送風機１３を正回転させることにより乾燥工程を行う。送風機１３の正回転によって回転槽４内の湿った空気が空気循環路５に入り、前記フィルタ１２を通って下流側に流れる。この湿った空気は、前記吸熱器９を通過する際に冷却されて空気中の水分が凝縮する。ここで生じた凝縮水は、空気循環路５から前記排水管１５に接続したドレン管（図略）を介して排水する。吸熱器９は、前記のように空気循環路５内に圧損部材１１が設けられているため、通過する空気の流速を低下させることができ、これにより熱交換器としての熱効率を向上させ、従来のフィン／チューブ型熱交換器とほぼ同等の機能を発揮することができる。
【００３０】
吸熱器９で除湿された空気は、前記放熱器８を通過する際に加熱されて高温の乾燥空気となり、前記送風機１３により水槽２内に流入し、前記小孔を通って回転槽４内に戻される。この高温乾燥空気によって回転槽４内の被洗浄物が加熱される。放熱器８も、前記のように空気循環路５内に圧損部材１１が設けられているため、通過する空気の流速を低下させることができ、これにより熱交換器としての熱効率を向上させ、従来のフィン／チューブ型熱交換器とほぼ同等の機能を発揮することができる。このようにして空気の循環を繰り返し行うことで被洗浄物を乾燥させることができる。この乾燥工程時に、回転槽４を回転しながら行うと乾燥効率を高めることが可能となる。
【００３１】
乾燥工程において、被洗浄物の乾燥が進むに連れて糸屑等のゴミが回転槽４内で浮遊する傾向が強くなる。そして、この糸屑等のゴミは空気に混入して空気循環路５に流入するが、前記フィルタ１２により捕捉されて分離される。このため、糸屑等のゴミが前記吸熱器９や放熱器８の圧損部材１１に付着するのを抑えることができる。又、フィルタ１２をすり抜けた微細なゴミが圧損部材１１に付着することが予想されるが、従来の熱交換器におけるフィンに比べれば圧損部材１１の間隔が広いためゴミの付着量を少量に抑えることが可能である。
【００３２】
上記乾燥工程の回数が増えるに連れて、フィルタ１２に捕捉される糸屑等のゴミの量が徐々に増大する。ゴミの付着量が増大すると、フィルタ１２が目詰まりして濾過機能が低下し、且つ空気循環路５への空気流入量が減少する。このような現象が生じると、回転槽４に戻す高温乾燥空気の量が減少して乾燥効率の低下を招くことになる。
【００３３】
そこで、洗濯乾燥機の使用後に前記送風機１３を逆回転させ、空気循環路５内の空気を上流側に向けて強制的に逆流させ、フィルタ１２に吹き付けて付着している糸屑等のゴミを吹き飛ばして排除する。これにより、フィルタ１２の清掃作業を自動的に行うことができ、且つフィルタ１２の交換回数を減らすことが可能となる。
【００３４】
この場合、フィルタ１２から吹き飛ばされた糸屑等のゴミが回転槽４内に戻らないようにすることが好ましい。このため、例えばフィルタ１２より上流側にゴミの収集手段（図略）を着脱自在に設けるようにする。又、フィルタ１２に付着する糸屑等のゴミ量を検知するセンサ（図略）を設けるようにすると良い。
【産業上の利用可能性】
【００３５】
本発明は、洗濯乾燥機に利用することができ、ヒートポンプ装置の冷媒管を空気循環路の要部の外周に巻き付けることにより熱交換器を構成し、これにより熱交換器のフィンを廃止することでゴミの付着を抑えるようにした洗濯乾燥機を提供することができる。
【図面の簡単な説明】
【００３６】
【図１】本発明に係る洗濯乾燥機の実施形態を示す概略説明図である。
【図２】本発明に係る洗濯乾燥機の実施形態における熱交換器を示す概略断面図である。
【図３】（ａ）は本発明に係る洗濯乾燥機の実施形態における熱交換器を示す概略透視斜視図、（ｂ）及び（ｃ）はそれぞれ熱交換器における圧損部材の他の実施形態を示す平面図である。
【図４】従来の洗濯乾燥機を示す概略説明図である。
【符号の説明】
【００３７】
１  外槽
２  水槽
３  駆動用モータ
４  回転槽
５  空気循環路
６  ヒートポンプ装置
６ａ  冷媒管
７  圧縮機
８  放熱器
９  吸熱器
１０  絞り手段
１１  圧損部材
１２  フィルタ
１３  送風機
１４  給水管
１５  排水管
【図１】
2008086423.tif 000003
【図２】
2008086423.tif 000004
【図３】
2008086423.tif 000005
【図４】
2008086423.tif 000006